(57)【要約】      （修正有）【課題】各種使用条件に対応できる特性を有するマウスパッドを提供する。【解決手段】マウスパッドは、上面がマウスを滑らす滑走層からなる滑走層と、上下面に防滑特性を有する防滑層と、マウスの加重に対し反発弾性を有する反発弾性層と、マウス操作時の疲労度を軽減する緩衝層と、を任意に組み合わせて単層又は複数層とするとともに、前記滑走層、防滑層、反発弾性層、緩衝層の各層は人手で簡単に剥離および再積層が可能であり、前記滑走層は、マウスの滑走性が優れる滑走層からマウスの滑走を素早く停止できマウスの停止性が優れる滑走層まで表面特性が段階的に異なる複数の滑走層から選択可能である。【選択図】図１
2011258081.tif 000002
【特許請求の範囲】
【請求項１】
上面がマウスを滑らす滑走層からなる滑走層と、
上下面に防滑特性を有する防滑層と、
マウスの加重に対し反発弾性を有する反発弾性層と、
マウス操作時の疲労度を軽減する緩衝層と、
を任意に組み合わせて単層又は複数層とするとともに、前記滑走層、防滑層、反発弾性層、緩衝層の各層は人手で簡単に剥離および再積層が可能であることを特徴とするパソコン用マウスパッド。
【請求項２】
前記滑走層は、マウスの滑走性が優れる滑走層からマウスの滑走を素早く停止できマウスの停止性が優れる滑走層まで表面特性が段階的に異なる複数の滑走層から選択可能であることを特徴とする請求項１に記載のパソコン用マウスパッド。
【請求項３】
前記防滑層は、前記滑走層、前記反発弾性層、前記緩衝層を組み合わせて複数層を形成する際に、前記滑走層の下面、前記反発弾性層および前記緩衝層の上下面に適用して前記滑走層、前記反発弾性層、前記緩衝層の各層間の滑りを防止するものであることを特徴とする請求項１に記載のパソコン用マウスパッド。
【請求項４】
前記緩衝層は、硬度、反発力、圧縮性、耐衝撃力が異なるものから選択可能であることを特徴とする請求項１に記載のパソコン用マウスパッド。
【請求項５】
前記滑走層、前記滑走防止層、前記反発弾性層、前記緩衝層の各層の素材は、紙、金属、ガラス、プラスチック、及びその加工品であることを特徴とする請求項１に記載のパソコン用マウスパッド。
【請求項６】
前記防滑層の表面は、剥離および再接合可能な面ファスナー、接着剤、粘着材からなることを特徴とする請求項１に記載のパソコン用マウスパッド。
【発明の詳細な説明】
【技術分野】
【０００１】
本発明は多層式マウスパッドに係り、より詳しくは、マウスを滑走させる滑走層、防滑層、反発弾性層、緩衝層を任意に組み合わせることが可能な多層式マウスパッドに関する。
【背景技術】
【０００２】
マウスパッドは、パーソナルコンピュータ（パソコン）の入力装置であるマウスの動作を良好にするために下に敷くシートである。
マウスは、２次元の動きをボールの転がりで検知するもので、マウスを滑らす面が滑りやすい、汚れている、凹凸が激しい場合、あるいは、ボールに汚れが付着している場合はボールの転がりが悪くなり、ポインティングに支障をきたす。ボールの表面は通常ゴム製であるが、ボールが滑ると必要な動きが得られず、マウスの不調は多大なストレスや操作ミスを生じるため、ボールの転がりを良好にするため、適正な摩擦を生じるシート上でマウスを動かすのがマウスパッドを使用する目的である。
【０００３】
その後登場した光学式マウスは、底面に発光・受光機構を備え、光の反射で動作を検知する仕組みを持つものである。近年の光学式マウスは、画像処理機構を備えており、マウスパッドの表面の微小な変化を読み取り、そのズレを計算することで移動を検知するという方式である。この方式ではマウスパッドの表面材質を選ぶことはないが、反射の起こらない透明なもの、反射率の高いもの、平滑で変化の乏しい面などでは動きが検知しにくい。
マウスの機敏な動作を必要とするＰＣゲームや、１ドット単位の緻密なポインティングが必要なグラフィック、ＣＡＤなどでは、特に反りがなく、良好な表面を要求する。また、携帯用としては薄手のものが好ましいなど、品質やサイズはユーザの需要に応えて大きな幅がある。
【０００４】
パソコン用のマウスパッドとして、マウスとの接触面にフィルム層又は樹脂層を設け、下部に弾性層として発泡ウレタン層を設けたもの、更に机の天板と接触する面に滑り止め用のゴムシート層を設けたもの等が使用されている。
また、比較的高い摩擦係数と比較的高い弾性とを有する軟質材からなる下層と、比較的高い剛性を有する硬質材からなる中層と、比較的高い摩擦係数を有する微軟質材からなる上層とで構成されるマウスパッド（実開平４−４４０３７号）や、弾性層として厚さ０．０５ｍｍ〜２．０ｍｍの弾性体シート或は弾性樹脂とし、該弾性層と硬質層を積層したマウスパッド（特開平９−２８２０９２）、等各種のマウスパッドが開示されている。
【０００５】
マウスパッドの弾性層は、マウスを使用する際にマウスの底部に掛かる荷重を平均化してマウスの動きを円滑にする効果（弾性効果）を有し、また滑り止め用のゴムシート層は、マウス操作時にマウスパッドが机の天板上で滑り難くなるようにしてマウスからパソコンへの入力を正確にする効果（滑り止め効果）を有するとされている。
このようにマウスパッドには使用条件によりいろいろな特性が要求され、それに対応するものが出回っているが、これらはマウスパッドの有する特性を変更することが出来ず、使用条件が変わった場合に対応することは出来なかった。
【先行技術文献】
【特許文献】
【０００６】
【特許文献１】実開平４−４４０３７号公報
【特許文献２】特開平９−２８２０９２号公報
【発明の概要】
【発明が解決しようとする課題】
【０００７】
本発明は、各種使用条件に対応できる特性を有するマウスパッドの提供を目的とする。
【課題を解決するための手段】
【０００８】
本発明は、上面がマウスを滑らす滑走層からなる滑走層と、上下面に防滑特性を有する防滑層と、マウスの加重に対し反発弾性を有する反発弾性層と、マウス操作時の疲労度を軽減する緩衝層と、を任意に組み合わせて単層又は複数層とするとともに、前記滑走層、防滑層、反発弾性層、緩衝層の各層は人手で簡単に剥離および再積層が可能であることを特徴とする。
【０００９】
前記滑走層は、マウスの滑走性が優れる滑走層からマウスの滑走を素早く停止できマウスの停止性が優れる滑走層まで表面特性が段階的に異なる複数の滑走層から選択可能であることを特徴とする。
【００１０】
前記防滑層は、前記滑走層、前記反発弾性層、前記緩衝層を組み合わせて複数層を形成する際に、前記滑走層の下面、前記反発弾性層および前記緩衝層の上下面に適用して前記滑走層、前記反発弾性層、前記緩衝層の各層間の滑りを防止するものであることを特徴とする。
【００１１】
前記緩衝層は、硬度、反発力、圧縮性、耐衝撃力が異なるものから選択可能であり、前記滑走層、前記滑走防止層、前記反発弾性層、前記緩衝層の各層の素材は、紙、金属、ガラス、プラスチック、及びその加工品であることを特徴とする。
【００１２】
前記防滑層の表面は、剥離および再接合可能な面ファスナー、接着剤、粘着材からなることを特徴とする。
【発明の効果】
【００１３】
本発明によるマウスパッドによれば、マウスパッドの使用条件、必要特性に応じて、滑走防止層と、反発弾性層、緩衝層を任意に組み合わせて多層化することが出来る。
また、各層は容易に剥がし、また積層することができる。
【図面の簡単な説明】
【００１４】
【図１】本発明の実施例１を示す概略図である。
【図２】本発明の実施例２を示す概略図である。
【図３】本発明の実施例３を示す概略図である。
【発明を実施するための最良の形態】
【００１５】
マウスパッドに必要な特性としては、マウスを動かす際の抵抗が少ないこと、止めたい位置でピタッと止まること、素早く動かしてもマウスカーソルが飛ばないこと、長時間の使用にも耐えうること、などがある。
しかし、抵抗が少ないと思ったとおりに止め難いことにもなり、滑りと止まりのバランスをとる必要がある。
本発明のマウスパッド１は、上面がマウスを滑らす滑走層からなる滑走層２と、上下面に防滑特性を有する防滑層３と、マウスの加重に対し反発弾性を有する反発弾性層４と、マウス操作時の疲労度を軽減する緩衝層５と、を任意に組み合わせて単層又は複数層とするとともに、滑走層２、防滑層３、反発弾性層４、緩衝層５の各層は人手で簡単に剥離および再積層が可能である。
【００１６】
滑走層２、防滑層３、反発弾性層４、緩衝層５の各層の素材は、紙、金属、ガラス、プラスチック、及びその加工品からなる。
滑走層２に樹脂を適用した場合は、滑りやすいが、ある程度止めやすい特性も有する。
ガラスを滑走層２に適用すると滑りやすい上に耐久性が高いが、摩擦音が気になることもある。樹脂系にはない独特の摩擦感も特徴。金属系ものもガラス系に近い特性がある。
布の滑走層は滑り心地はやや劣るが、摩擦感が強く止めやすい。
反発弾性を小さくすると優れた衝撃吸収性能が得られ、圧力に対して復元速度が遅いため、優れた荷重分散性能示す。反発弾性を大きくすると逆に衝撃吸収性能が低下するが、圧力に対する復元速度は速くなる。
【００１７】
滑走層２の粘着性、接着性、防滑性は、エラストマー高分子体などの自己粘着性によるものであってもよいし、高摩擦性をもつ素材であってもよい。
あるいは、マジックテープ（登録商標）のような面ファスナー、粘着剤、接着剤によるものであっても良い。
【００１８】
図１は、本発明の実施例１のマウスパッド１の概略図であり、上面から滑走層２、防滑層３、反発弾性層４、防滑層３、緩衝層５、防滑層３、反発弾性層４、防滑層３、緩衝層５、防滑層３からなっている。
実施例１の滑走層２には最もマウスの滑りのよいものを使用し、ＰＣゲームへの使用に耐えるものとした。
防滑層３は、滑走層２、反発弾性層４、緩衝層５を積層する際に、異なる層の間のずれを防止するために層間に挟むものであり、マウスパッド１の最下層に設けるのは、マウスパッドがマウスパッドを置いている台の上で、マウスを動かす際にずれを生じたり、動いたりしないようにするためである。
【００１９】
マウスパッドの反発弾性層４は、マウスを使用する際にマウスの底部に掛かる荷重を平均化してマウスの動きを円滑にする効果（弾性効果）を有している。
緩衝層５は、マウスを置いている台に何らかの振動がある場合などに、緩衝層５を設けることによりマウスポインタが小刻みに揺れることなどを防止できるとともに、手先がマウスを置いている台の影響を受けることがなくなり、疲労を蓄積することがなくなる。
本実施例では、防滑層３に面ファスナーであるマジックテープ（登録商標）を用いている。
本実施例１は、反発弾性層４、緩衝層５を２重にすることでこれらの効果が十分発揮できるようにしたものである。
【００２０】
図２は、本発明の実施例２のマウスパッド１の概略図であり、上面から滑走層２、防滑層３、反発弾性層４、防滑層３、緩衝層５、防滑層３からなっている。
マウスパッドの標準的なもので、反発弾性性と緩衝特性をバランスよく持たせたものである。
図３は、本発明の実施例３のマウスパッド１の概略図であり、滑走層２と防滑層３からなっている。最低限必要な滑走層２だけを有するものである。
【符号の説明】
【００２１】
１  マウスパッド
２  滑走層
３  防滑層
４  反発弾性層
５  緩衝層
【図１】
2011258081.tif 000003
【図２】
2011258081.tif 000004
【図３】
2011258081.tif 000005